(57)【要約】【課題】ダム板を引き上げた状態に確実に支持する構成にしたから、水田水の速やかな放出を実行できるし、水圧によってダム板が転倒する事態も解消でき、かつダム板の紛失や盗難を防止できるので、稲作の農作業を円滑かつ効率的に、また安心して行うことができるようにした水田用水位調整装置を提供する。【解決手段】桝本体２は、排水穴２Ｄを有する後板２Ｂ及び一対の側板２Ｃを底板２Ａに平面視で略冂字状に立設した構成からなる。桝本体２内には、前方下部側に受圧板３を配設し、受圧板３に面接触した状態で水位調整板４が高さを可変に、かつ嵌脱可能に配設してある。後板２Ｂと水位調整板４との間に、水位調整板４より背高で、下部側に排水穴２Ｄより小径の放水穴５Ｃを設けた平板からなるダム板５が昇降可能に配設してある。ダム板５と後板２Ｂとの間に鎖で形成したダム板支持体６が連結してある。【選択図】図５
2019060092.tif 000002
【特許請求の範囲】
【請求項１】
排水穴を有する後板及び一対の側板を底板に平面視で略冂字状に立設してなる桝本体と、該桝本体内の前方下部側に配設した受圧板と、該受圧板に面接触した状態で前記桝本体内に高さを可変に、かつ嵌脱可能に配設した水位調整板と、該水位調整板より背高で、下部側に前記排水穴より小径の放水穴を設けた平板からなり、前記後板と水位調整板との間に位置して前記桝本体に昇降可能に配設したダム板と、該ダム板と前記桝本体との間に連結し、ダム板の高さ設定を可能にするダム板支持体とから構成してなる水田用水位調整装置。
【請求項２】
前記ダム板支持体は、前記ダム板の転倒防止の機能を有するものである請求項１記載の水田用水位調整装置。
【請求項３】
前記ダム板支持体は、連結索と、該連結索の一端に設け、前記桝本体に係着する係止具と、連結索の他端に設け、前記ダム板に係着する取着具と、前記連結索の他端側又は取着具に設けた係止調整軸とから構成してある請求項１記載の水田用水位調整装置。
【請求項４】
前記ダム板支持体を構成する係止具は、前記桝本体に嵌着するクリップである請求項３記載の水田用水位調整装置。
【請求項５】
前記クリップは、対向する一対の挟持片と連結片とから略冂字状に形成し、外側挟持片の下端側を外側横向きに突出させて土圧受け片としてあることを特徴とする請求項４記載の水田用水位調整装置。
【請求項６】
前記連結索は、鎖であることを特徴とする請求項３記載の水田用水位調整装置。
【発明の詳細な説明】
【技術分野】
【０００１】
本発明は、水田の水量を調整して稲の生育を管理し、また水田をダム化することで下流側の水害の防止を図る水田ダム化機能を有する水田用水位調整装置に関する。
【背景技術】
【０００２】
水田は稲の生育時期に応じて水位を調整する必要があることから、水位調整桝を畔に設置して水位の管理を行っている。代表的な水位調整桝は、桝本体内に土圧を受ける受圧板と、受圧板が圧接することで高さ位置の調整が可能な水位調整板とから大略構成し、水位調整板を昇降操作して高さを設定することにより水位調整板を越流する水田水の放出量を制御することで水田の水位を調整している。
【０００３】
ところで、近年気候の激しい変動により、各地で局所的豪雨が多発する事態が起きている。しかも、山林の保水能力が低下している状況もあって鉄砲水、土砂の流失等が多発し、平地に大きな災害を与える事態を招いている。
そこで、水田の貯水能力を生かして降雨時に水田をダムとして機能させ、降雨が一度に大量に流下して下流側に水害や土石流災害が発生するのを防止するようにした水田のダム化技術が求められている。
【０００４】
そこで、本件出願の発明者は、水田用水位調整桝に水位調整板より背高のダム板を挿設し、水田の水位調整を行う機能に加えて水田の水位を高く維持して水田をダム化する機能を持たせることにより水害を予防し、抑制することを目的とした田んぼダム機能を有する水田用水位調整装置を提案した（特許文献１）。
この装置では、ダム板を越流する水は溢れ水処理槽に流入して桝本体の排水穴から放出させることで、畦を越流することなく全て桝内から排出するようにしたものである。
【先行技術文献】
【特許文献】
【０００５】
【特許文献１】第５９３９５２６号特許公報
【発明の概要】
【発明が解決しようとする課題】
【０００６】
上述した従来技術は水田をダム化して水害を抑制する効果を奏するものであるが、以下の課題への対応が求められている。即ち、農作業で水田水を一挙に大量に排水する場合、ダム板の放水穴の穴径は５０〜７０ｍｍであることから排水能力が小さく大量排水が出来ないという問題である。
また、稲刈り後に水田には水が無くなるので、ダム板の前に配置してある受圧板と水位調整板は不要であるとして撤去されると、ダム板が風等の影響で倒れて機能不全になるという問題がある。
そこで、ダム板自体も桝本体から撤去して畦に置くことが行われているが、後日回収する場合にダム板を見失うという問題もある。
更に、水田用水位調整装置は人目の及ばない暗い場所に設置してあるのが殆どであることから、アルミニュウム等の金属製のダム板が盗まれる可能性があり、盗難防止を図る必要がある。
しかし、従来技術の水田用水位調整装置は受圧板と水位調整板、更にはダム板を桝本体から撤去することは想定していないことから、これらの問題に対応するものではなかった。
【０００７】
本発明は上述した従来技術の未解決の問題点に鑑みなされたもので、ダム板を引き上げた状態に確実に支持する構成にすることにより、水田水を迅速に大量に放出することを可能にし、また風圧によってダム板が転倒する事態も解消し、かつダム板の紛失や盗難を防止するので、農作業を円滑かつ効率的に、また安心して行うことができるようにした水田用水位調整装置を提供することを目的とする。
【課題を解決するための手段】
【０００８】
（１）上述した課題を解決するために構成した請求項１に係る本発明の手段は、排水穴を有する後板及び一対の側板を底板に平面視で略冂字状に立設してなる桝本体と、該桝本体内の前方下部側に配設した受圧板と、該受圧板に面接触した状態で前記桝本体内に高さを可変に、かつ嵌脱可能に配設した水位調整板と、該水位調整板より背高で、下部側に前記排水穴より小径の放水穴を設けた平板からなり、前記後板と水位調整板との間に位置して前記桝本体に昇降可能に配設したダム板と、該ダム板と前記桝本体との間に連結し、ダム板の高さ設定を可能にするダム板支持体とからなる。
（２）そして、前記ダム板支持体は、前記ダム板の転倒防止の機能を有するものである。
（３）また、前記ダム板支持体は、連結索と、該連結索の一端に設け、前記桝本体に係着する係止具と、連結索の他端に設け、前記ダム板に係着する取着具と、前記連結索の他端側又は取着具に設けた係止調整軸とから構成するとよい。
（４）また、前記ダム板支持体を構成する係止具は、前記桝本体に嵌着するクリップであるとよい。
（５）更に、前記クリップは、対向する一対の挟持片と連結片とから略冂字状に形成し、外側挟持片の下端側を外側横向きに突出させて土圧受け片にしてあるとよい。
（６）また、前記連結索は鎖であるとよい。
【発明の効果】
【０００９】
本発明は上述の如く構成したから下記の諸効果を奏する。
（１）ダム板と桝本体との間にダム板連結体を連結し、昇降可能なダム板の高さをダム板連結体により調整できるように構成したから、ダム板を桝本体から撤去することなく水田水を一挙に大量に放出することができる。
（２）ダム板はダム板連結体によって桝本体に連結支持させてあるから、桝本体から受圧板と水位調整板を撤去した状態でも転倒する事態を防止することができる。
（３）上記２と同じ理由により、放水のために引き上げたダム板が落下する事態を防止できる。
（４）上記２と同じ理由により、ダム板が簡単に盗まれる事態を予防することが出来る。
（５）ダム板支持体の係止具は、桝本体に嵌着するクリップであるから、既存の桝本体にも新規の桝本体のいずれにも対応することができる。
（６）クリップに土圧受け片を設けて畦の土圧でクリップを押え込むようにしたから、クリップが浮上る、位置ずれする、或いは桝本体から外れるといった事態を防止できる。また、ダム板支持体と一緒にダム板を簡単に盗まれる事態を防止できる。
（７）ダム板支持体の連結索に鎖を用いたから、ダム板の細かな高さ調整ができる。
【図面の簡単な説明】
【００１０】
【図１】図１乃至図７は本発明の第１の実施の形態に係り、図１は水田用水位調整装置の全体構成を示す斜視図である。
【図２】水田用水位調整装置を構成するダム板の斜視図である。
【図３】水田用水位調整装置の平面図である。
【図４】ダム板支持体の全体構成を示す斜視図である。
【図５】ダム板によりダム機能を発揮している状態の水田用水位調整装置の断面図である。
【図６】ダム板を引き上げて放水する状態の水田用水位調整装置の断面図である。
【図７】ダム板支持体によりダム板の転倒を防止する状態の水田用水位調整装置の断面図である。
【図８】第２の実施の形態に係る水田用水位調整装置の斜視図である。
【発明を実施するための形態】
【００１１】
以下、本発明の実施の形態を図面に基づき詳述する。図において、１は水田用水位調整装置、２は該水田用水位調整装置１を構成するコンクリート製或いは合成樹脂製の桝本体で、該桝本体２は略四角形の底板２Ａの後端に後板２Ｂを、該底板２Ａの左右側縁に一対の側板２Ｃ、２Ｃを平面視で略冂字状に起立した構成からなり、前記後板２Ｂには直径１５０ｍｍの排水穴２Ｄを形成し、前記一対の側板２Ｃ、２Ｃの内面には対向して縦方向にガイド溝２Ｅを形成し、該ガイド溝２Ｅに続いて前記底板２Ａの上面に受圧板支持溝２Ｆが形成してある。
【００１２】
３は桝本体２の高さ方向略中間から下半分に設置する受圧板で、該受圧板３は平板からなる板本体３Ａの上端側に後向きに係止ストッパー３Ｂを突設した形状からなり、幅方向両端側をガイド溝２Ｅ、２Ｅに嵌入し、下端３Ｃは受圧板支持溝２Ｆに嵌合してある。
【００１３】
４は前記受圧板３の上方に位置して桝本体２に挿装した水位調整板を示す。該水位調整板４は平板からなる板本体４Ａと、該板本体４Ａの下端側に突設し、前記係止ストッパー３Ｂと接離する係合ストッパー４Ｂと、板本体４Ａの上端に前向きに突設した操作用突状部４Ｃとから構成してある。そして、板本体４Ａの幅方向両端側をガイド溝２Ｅ、２Ｅに摺動可能に嵌入し、係合ストッパー４Ｂが係止ストッパー３Ｂに当接する状態を上限として昇降することで水位調整を行うようになっている。
【００１４】
５は後板２Ｂと水位調整板４との間に位置して桝本体２内に挿装したアルミニュウム製のダム板を示す。該ダム板５は水位調整板４を最上位にまで引上げた状態の上端４Ｄより上端面５Ａ１を背高の高さに設定した平板からなる板本体５Ａと、該板本体５Ａと同じ縦幅からなり、後板２Ｂと水位調整板４との間に挿嵌可能な横幅に設定し、該板本体５Ａの幅方向両端に略Ｈ字状を成すように固着した左右一対の支持片５Ｂ、５Ｂと、後板２Ｂの排水穴２Ｄより小径の穴径が約５０〜７０ｍｍからなり、板本体５Ａの下端側に形成した放水穴５Ｃとから構成してある。
【００１５】
６は前記ダム板５の転倒防止と高さ設定のためのダム板支持体を示す。７は該ダム板支持体６を構成し、後板２Ｂとダム板５を連結する連結索で、該連結索７は金属製或いは合成樹脂製の鎖からなっている。８はダム板支持体６を構成し、連結索７の一端側に設けたステンレス製或いは合成樹脂製のクリップで、該クリップ８は後板２Ｂの上端側を挟む外側挟持片８Ａ及び内側挟持片８Ｂと、該挟持片８Ａ、８Ｂを連結する連結片８Ｃとから略冂字状に形成し、外側挟持片８Ａの下端は横向きに張り出して土圧受け片８Ｄとし、内側挟持片８Ｂの下端は横向きに張り出した係合片８Ｅになり、該係合片８Ｅには係合孔８Ｅ１が形成してある。
９は連結索７の他端側に設けたアイボルトで、該アイボルト９はダム板５に螺着することにより、連結索７は後板２Ｂとダム板５とに連結した状態になる。
１０は前記アイボルト９に係着した係止調整軸で、該係止調整軸１０は先端側を略レ字状の係止端１０Ａに形成してあり、クリップ８の係合片８Ｅに係脱自在になっている。なお、係止調整軸１０は、鎖７の端部に取着してもよい。
【００１６】
本実施の形態は上述の構成からなるもので、次にその作用について説明する。
水田の水位調整のために水位調整板４を所望の高さに昇降させ、受圧板３を圧接させることで水位調整板４の高さ位置を保持する原理については従来の水位調整桝と同様である。
更に、水田用水位調整装置１は、桝本体２、受圧板３、水位調整板４及びダム板５によって囲繞される空間Ｓを画成し、ダム板５と後板２Ｂとによって囲繞される空間は溢れ水処理槽Ｔとしてある。この溢れ水処理槽Ｔは、想定外の大量の降雨がある場合でも、ダム板５を越流した水が畦を越流することなく全て桝本体２内を通って排水穴２Ｄから排出するようにしたものである。
また、ダム板５は水位調整板４より高さがあり、かつ放水穴５Ｃは桝本体２の排水穴２Ｄより小径に形成してあるから、空間Ｓは水位調整板４を越流して流入する水田水の貯留槽として機能する。
【００１７】
そして、農作業で水田水を一挙に大量に排水する時、ダム板５の放水穴５Ｃの穴径が５０〜７０ｍｍで排水能力が小さいことから、本実施の形態では、ダム板支持体６によってダム板５を引き上げた状態に支持することにより、後板２Ｂの穴径１５０ｍｍの排水穴２Ｄから排水することを可能にしている。
また、8月頃から水田に水を張らなくなると水位調整機能は不要になるので、農家によっては桝本体２から受圧板３と水位調整板４を撤去することを行っている。しかし、台風の風圧や豪雨時の水圧等の理由によりダム板５が桝本体２内で転倒する事態も起きているので、ダム板５をダム板支持体６で桝本体２に連結させることでダム板５の転倒を防止することができる（図６参照）。
【００１８】
また、ダム板支持体６に設けた係止調整軸１０をダム板５を引き上げた状態でクリップ８に係止することで、ダム板５の放水穴５Ｃを介さずに１５０ｍｍの排水穴２Ｄから大量放出が可能であるし、ダム板５の紛失も防止できる。更に、連結索７に鎖を用いたので、係止調整軸１０を鎖の適宜の位置に係着することによりダム板５の引上げ高さの細かい調整が可能であるという利点がある。
【００１９】
また、水田水を一挙に大量放出する場合に、ダム板５も桝本体２から撤去して畦に放置することが行われるが、後日ダム板５の所在が不明になって紛失してしまうという問題がある。そこで、ダム板支持体６によって桝本体２にダム板５を連結すると共に、ダム板５を引き上げた状態に保持して大量放出を可能にし、かつダム板５の紛失を防止している。
【００２０】
しかも、ダム板支持体６を構成するクリップ８には土圧受け片８Ｄを突設し、畦の土圧でクリップ８を抑え込む構成にしてあるから、クリップ８が桝本体２から簡単に外れる事態を防止して安心して使用することができる。また、ダム板５を簡単に盗むことを阻止できる。
【００２１】
なお、本実施の形態では、ダム板支持体６を桝本体２に係着する手段としてクリップ８を用いたが、クリップに代えてアイボルト、掛け止め環を用いてもよいものである。
【００２２】
また、連結索７は鎖に代えてワイヤを用いてもよい。この場合はワイヤに掛け止め用のリングを間隔をおいて複数個設けることにより、ダム板５の高さ調整が可能である。
【００２３】
本実施の形態に係るダム板支持体６はクリップ８を桝本体２の後板２Ｂに嵌着し、アイボルト９をダム板４に螺着することで取付けることができるから、既存の水位調整桝にも新設の水位調整桝にも用いることができる。
【００２４】
なお、ダム板支持体６のクリップ８は桝本体２の後板２Ｂに嵌着したが、側板２Ｃに嵌着してもよいものである。
【００２５】
なお、新規の桝本体については、ダム板支持体を取付けるための係止穴を成形時に形成してもよい。
【００２６】
更に、ダム板支持体６に設けたアイボルト９をダム板５に取着する構成にしたが、ダム板に取付用の穴を形成してもよいし、取着用金属片を溶接して設けてもよい。
要すれば、連結索７を桝本体２とダム板５に連結する方法は、費用、工数、強度性等を踏まえて適宜選択すればよい。
【００２７】
図８は第２の実施の形態を示す。なお、第１の実施の形態の構成要素と同一の構成要素には同一の符号を付して援用し、その説明を省略する。図において２１はコンクリート製或いは合成樹脂製の水田用水位調整装置を示す。該水田用水位調整装置２１は、第１の実施の形態に係る水田用水位調整装置１と同様の構成からなるもので、底板２２Ａ、後板２２Ｂ及び一対の側板２２Ｃ，２２Ｃとから平面視で略冂字状に桝本体２２は形成してあり、後板２２Ｂには図示しない穴径が約１５０ｍｍの排水穴２２Ｄを形成し、各側板２２Ｃの内面には縦方向にガイド溝２２Ｅを形成し、側板２２Ｃには前後方向略中間に位置してダム板溝２３が縦方向に形成してある。
【００２８】
２４は前記ダム板溝２３、２３に両端側を挿嵌して桝本体２２に設けたダム板で、該ダム板２４と、底板２２Ａ、一対の側板２２Ｃ、２２Ｃ、受圧板３及び水位調整板４によって囲繞される空間Ｓは水位調整板４を越流する水田水の貯留槽として機能する。また、ダム板２４と後板２２Ｂとで画成される空間は第１の実施の形態と同様に溢れ水処理槽Ｔになっている。
そして、ダム板２４はダム板支持体６によって桝本体２２と連結してあり、ダム板２４の高さ調整を可能にし、また盗難を防止している。
【００２９】
なお、本実施の形態において、ダム板２４はダム板溝２３、２３に挿嵌して設けてあるので、受圧板３及び水位調整板４を撤去した場合でもダム板２４が転倒する恐れはないので、ダム板支持体６は高さ調整と桝本体２２からの離脱防止にその機能を発揮するものである。
【符号の説明】
【００３０】
１      水田用水位調整装置
２      桝本体
２Ｂ    後板
２Ｃ    側板
２Ｄ    排水穴
３      受圧板
４      水位調整板
５      ダム板
５Ｃ    放水穴
６      ダム板支持体
７      鎖（連結索）
８      クリップ（係止具）
８Ｄ    土圧受け片
９      アイボルト（取着具）
１０    係止調整軸
【図１】
2019060092.tif 000003
【図２】
2019060092.tif 000004
【図３】
2019060092.tif 000005
【図４】
2019060092.tif 000006
【図５】
2019060092.tif 000007
【図６】
2019060092.tif 000008
【図７】
2019060092.tif 000009
【図８】
2019060092.tif 000010